(57)【要約】【課題】鋼製伸縮継手の遊間から雨水が流入した場合に止水性を発揮し、しかも鋼製伸縮継手内部のウエブプレート端面及びフェイスプレート下面の腐食を防止できる鋼製伸縮継手用防水性止水材を提供すること。【解決手段】一対の対向するウエブプレートと一対の対向するフェイスプレートとを有する鋼製伸縮継手の対向する該ウエブプレートの遊間の両端面に固着して設けられる鋼製伸縮継手用防食性止水材であって、止水材本体と一対の断面形状がＬ字形の防食性薄金属板とからなり、前記止水材本体は、遊間全体の伸縮に応じて伸縮可能な支持層と、該支持層の上面に固着一体化された止水層と、該止水層の上面に固着一体化された保護層とを有し、前記一対の防食性薄金属板は、それぞれ前記止水材本体の各側面から上面の一部に離間して配置され、かつ前記止水材本体の各側面で固着されていることを特徴とする鋼製伸縮継手用防食性止水材を採用する。【選択図】図１
2008057284.tif 000002
【特許請求の範囲】
【請求項１】
一対の対向するウエブプレートと一対の対向するフェイスプレートとを有する鋼製伸縮継手の対向する該ウエブプレートの遊間の両端面に固着して設けられる鋼製伸縮継手用防食性止水材であって、
止水材本体と一対の断面形状がＬ字形の防食性薄金属板とからなり、
前記止水材本体は、遊間全体の伸縮に応じて伸縮可能な支持層と、該支持層の上面に固着一体化された止水層と、該止水層の上面に固着一体化された保護層とを有し、
前記一対の防食性薄金属板は、それぞれ前記止水材本体の各側面から上面の一部に離間して配置され、かつ前記止水材本体の各側面で固着されていることを特徴とする鋼製伸縮継手用防食性止水材。
【請求項２】
前記防食性薄金属板は、前記止水材本体の側面の全部又は一部に固着されている請求項１記載の鋼製伸縮継手用防食性止水材。
【請求項３】
前記防食性薄金属板は、亜鉛、アルミニウム、マグネシウム又はそれらの合金からなる請求項１又は２記載の鋼製伸縮継手用防食性止水材。
【発明の詳細な説明】
【技術分野】
【０００１】
本発明は、橋梁や建築物等において使用される鋼製伸縮継手の遊間からの雨水等の落下を防止し、鋼製伸縮継手内部のウエブプレート端面及びフェイスプレート下面の腐食を防止するための鋼製伸縮継手用防食性止水材に関するものである。
【背景技術】
【０００２】
橋梁等では、温度変化に起因する膨張や収縮が生じるため、一定間隔毎に鋼製伸縮継手が設けられているものが数多くある。鋼製伸縮継手は、一対の対向するウエブプレート及び一対の対向するフェイスプレートを有している。各ウエブプレートは、間隔を保って相対する橋桁上に鉛直に支承される。フェイスプレートは、互いに隙間を保って、ウエブプレートの上端に水平に固定される。そして、この鋼製伸縮継手の遊間から雨水が漏水して落下して橋桁端部や橋桁支承部を腐食するのを防止する必要がある。
【０００３】
このために、特許文献１（特許第２６８９０７９号公報）では、対向するウエブプレートの遊間（目地）を塞ぐ鋼製伸縮継手用止水材を取り付けて防水している。
【０００４】
図２に、この鋼製伸縮継手用止水材を説明する斜視図を示し、鋼製伸縮継手に配置した状態を示す。この鋼製伸縮継手用止水材１１は、一対のウエブプレート２ａ，２ｂと一対のフェイスプレート３ａ，３ｂとを有する鋼製伸縮継手４のウエブプレート２ａ，２ｂの遊間に設けられている。
【０００５】
鋼製伸縮継手用止水材１１は、上側の保護層５、中程の止水層６及び下側の支持層７を順に積み重ねて接着一体化してなり、前記支持層７は、一対の縦長の独立気泡フォーム部と、前記独立気泡フォーム部相互間に固着一体化された連続気泡フォーム製の伸縮部とから構成されており、両外側面を直接又は他部材を介して一対のウエブプレート２ａ,２ｂの端面に接着して設置される。従って、この鋼製伸縮継手用止水材１では、主として支持層７の伸縮部等の体積変化により、対向するウエブプレート２ａ,２ｂ間の変位を吸収し、また、止水層６及び独立気泡フォーム部により止水性を得て、鋼製伸縮継手の遊間からの雨水等の落下を防止するものである。
【０００６】
また、特許文献２（特開２００２−１５５５８１号公報）及び特許文献３（特開２００６−２９０６９号公報）には、前記特許文献１に係る発明をさらに改良する試みがなされている。特許文献２では、支持層の伸縮部が縦方向に殆ど撓まない工夫がなされ、特許文献３では、保護層が水を含浸して凍結した状態においても、体積変化を容易にして保護層に亀裂や破壊を生ずることなく遊間の伸縮を許容する工夫がなされている。
【０００７】
【特許文献１】特許第２６８９０７９号公報
【特許文献２】特開２００２−１５５５８１号公報
【特許文献３】特開２００６−２９０６９号公報
【０００８】
しかしながら、特許文献１〜３の鋼製伸縮継手用止水材では、鋼製伸縮継手の遊間から雨水が流入した場合、保護層に水が含浸したり、支持層とウエブプレート端面との接着面の付近が水分を含んだ状態になったり、あるいは凍結防止材を散布する道路においては、塩分を含んだ水が接触するため、ウエブプレート端面及びフェイスプレート下面では湿りやすく腐食が発生する問題があった。そして、腐食が進行して鋼材の板厚が減少すると、交通荷重等により破損して鋼製伸縮継手全体を交換せざるを得なくなり、橋梁等の維持管理のコストが増大するというおそれがあった。
【発明の開示】
【発明が解決しようとする課題】
【０００９】
従って、本発明の目的は、前記課題を解決するためになされたもので、鋼製伸縮継手の遊間から雨水が流入した場合に止水性を発揮し、しかも鋼製伸縮継手内部のウエブプレート端面及びフェイスプレート下面の腐食を防止できる鋼製伸縮継手用防水性止水材を提供することにある。
【課題を解決するための手段】
【００１０】
本発明者らは、検討の結果、止水材本体に加えて一対の断面形状がＬ字形の防食性薄金属板を配し、前記一対の防食性薄金属板をそれぞれ前記止水材本体の各側面から上面の一部に離間して配置することによって、前記目的が達成し得ることを知見して本発明に至った。
【００１１】
すなわち、本発明は、一対の対向するウエブプレートと一対の対向するフェイスプレートとを有する鋼製伸縮継手の対向する該ウエブプレートの遊間の両端面に固着して設けられる鋼製伸縮継手用防食性止水材であって、
止水材本体と一対の断面形状がＬ字形の防食性薄金属板とからなり、
前記止水材本体は、遊間全体の伸縮に応じて伸縮可能な支持層と、該支持層の上面に固着一体化された止水層と、該止水層の上面に固着一体化された保護層とを有し、
前記一対の防食性薄金属板は、それぞれ前記止水材本体の各側面から上面の一部に離間して配置され、かつ前記止水材本体の各側面で固着されていることを特徴とする鋼製伸縮継手用防食性止水材を提供するものである。
【００１２】
本発明に係る前記鋼製伸縮継手用防食性止水材において、前記防食性薄金属板は、前記止水材本体の側面の全部又は一部に固着されている。
【００１３】
本発明に係る前記鋼製伸縮継手用防食性止水材において、前記防食性薄金属板は、亜鉛、アルミニウム、マグネシウム又はそれらの合金からなることが望ましい。
【発明の効果】
【００１４】
本発明に係る鋼製伸縮継手用防食性止水材は、ウエブプレートの遊間の伸縮に対して、止水材本体のみが伸縮による変形で追随することができると共に、防食性を有する薄金属板がウエブプレート端面に固着して、フェイスプレート下面に当接することにより、前記薄金属板による電気防食作用を引き出すことができ、防食が達成できる。
【００１５】
このため、本発明に係る鋼製伸縮継手用防食性止水材は、止水性を発揮できると共に、鋼製伸縮継手内部のウエブプレート端面及びフェイスプレート下面の腐食を防止できる。
【発明を実施するための最良の形態】
【００１６】
以下、本発明を実施するための最良の形態について詳述する。
図１は、本発明に係る鋼製伸縮継手用防食性止水材の一実施形態を示す斜視図であり、鋼製伸縮継手に配置した状態を示す。
【００１７】
図１において、鋼製伸縮継手用防食性止水材１は、鋼製伸縮継手４の対向するウエブプレート２ａ，２ｂの遊間の両端面に固着して設けられている。鋼製伸縮継手４は、一対の対向するウエブプレート２ａ，２ｂと一対の対向するフェイスプレート３ａ，３ｂとを有する。
【００１８】
本発明に係る鋼製伸縮継手用防食性止水材１は、止水材本体と一対の断面形状がＬ字形の防食性薄金属板８ａ，８ｂとからなる
【００１９】
止水材本体は、遊間全体の伸縮に応じて伸縮可能な支持層７と、該支持層の上面に固着一体化された止水層６と、該止水層の上面に固着一体化された保護層５とを有する。
【００２０】
これら保護層５、止水層６及び支持層７の材質、形状等の構成は任意であるが、例えば前記した特許文献１に記載された材質等が用いられる。
【００２１】
すなわち、保護層５は、連続気泡フォームからなり、止水層６は低弾性のゴムのシート状体からなる。また、支持層７は、伸縮可能な連続気泡フォームとその両側面に位置する一対の独立気泡フォーム層とからなる。また、保護層５は、一部又は全部を独立気泡と連続気泡が混在する独立／連続混在気泡フォーム層としてもよい。
【００２２】
一対の防食性薄金属板８ａ，８ｂは、それぞれ前記止水材本体の各側面から上面の一部に離間して配置され、かつ前記止水材本体の各側面で固着されている。図１では、防食性薄金属板８ａ，８ｂは、前記止水材本体の側面の一部に固着されているが、側面の全部に固着されていてもよい。防食性薄金属板８ａ，８ｂは、犠牲陽極作用を有する亜鉛、アルミニウム、マグネシウム又はそれらの合金からなることが望ましい。
【００２３】
図１では、防食性薄金属板８ａ，８ｂは、ウエブプレート２ａ，２ｂ端面に固着され、またフェイスプレート３ａ，３ｂの下面の全部に当接しているが、フェイスプレート３ａ，３ｂの下面の一部に当接してもよい。
【００２４】
本発明では、一対の防食性薄金属板８ａ，８ｂが、それぞれ前記止水材本体の各側面から上面の一部に離間して配置されているので、ウエブプレート端面及びフェイスプレート下面の腐食を防止できる。また、防食性薄金属板８ａ，８ｂは、止水材本体の各側面で固着されているので、ウエブプレート２ａ，２ｂの遊間の伸縮に対して、止水材本体のみが伸縮する。
【産業上の利用可能性】
【００２５】
本発明に係る鋼製伸縮継手用防食性止水材は、止水性を発揮し、しかも鋼製伸縮継手内部のウエブプレート端面及びフェイスプレート下面の腐食を防止できる。従って、本発明は、橋梁や建築物等に用いられる鋼製伸縮継手の止水材として好適に使用される。
【図面の簡単な説明】
【００２６】
【図１】図１は、本発明に係る鋼製伸縮継手用防食性止水材の一実施形態を示す斜視図である。
【図２】図２は、従来の鋼製伸縮継手用止水材を説明する斜視図である。
【符号の説明】
【００２７】
１，１１：鋼製伸縮継手用止水材
２ａ，２ｂ：ウエブプレート
３ａ，３ｂ：フェイスプレート
４：鋼製伸縮継手
５：保護層
６：止水層
７：支持層
８ａ，８ｂ：防食性薄金属板
【図１】
2008057284.tif 000003
【図２】
2008057284.tif 000004